【手続補正書】
【提出日】令和2年9月30日(2020.9.30)
【手続補正１】
【補正対象書類名】明細書
【補正対象項目名】００１２
【補正方法】変更
【補正の内容】
【００１２】
一態様では、電気的に作動される高温および低温の水の混合バルブと、電気的に作動される調整水バルブとが、蛇口本体とは別のバルブボックスに配置されている。
【手続補正２】
【補正対象書類名】明細書
【補正対象項目名】００１３
【補正方法】変更
【補正の内容】
【００１３】
一態様では、電気的に作動される調整水バルブアセンブリは、バルブボックス内に配置された複数の電気的に作動される調整水バルブを含み、電気的に作動される調整水バルブの１つが、電気的に作動される温水バルブである。電気的に作動される温水バルブは、調整水ラインの流入部に流体的に結合可能である流出部を有している。
【手続補正３】
【補正対象書類名】明細書
【補正対象項目名】００１５
【補正方法】変更
【補正の内容】
【００１５】
一態様では、高温および低温の水道水混合バルブアセンブリは、蛇口本体の混合バルブハウジングに配置された混合バルブカートリッジを有する、機械的に作動される高温および低温の水道水混合バルブアセンブリを含んでいる。電気的に作動される調整水バルブは、蛇口本体とは別のバルブボックスに配置されている。蛇口アセンブリは、電気的に作動される調整水バルブに電気的に結合された、ユーザが作動可能である調整水タッチボタンアセンブリをも含んでいる。
【手続補正４】
【補正対象書類名】明細書
【補正対象項目名】００１６
【補正方法】変更
【補正の内容】
【００１６】
一態様では、電気的に作動される調整水バルブアセンブリは、バルブボックス内に配置された複数の電気的に作動される調整水バルブを含み、電気的に作動される調整水バルブの１つが、電気的に作動される温水バルブである。電気的に作動される温水バルブは、調整水ラインの流入部に流体的に結合可能である流出部を有している。一態様では、電気的に作動される温水バルブの流出部が、調整水ラインの流入部に、温水ディスペンサの温水タンクを通して流体的に結合可能であり、電気的に作動される温水バルブの流出部が、温水タンクの水流入部に流体的に結合可能であり、調整水ラインの流入部が、温水タンクの温水流出部に流体的に結合可能である。蛇口アセンブリは、吐水部の内部を通り、また、調整水ハウジングを通り、調整水ハウジングのベント流出部へ延びるベントラインをさらに含んでいる。ベントラインは、温水タンクのベント流出部に流体的に結合可能である。
【手続補正５】
【補正対象書類名】特許請求の範囲
【補正対象項目名】全文
【補正方法】変更
【補正の内容】
【特許請求の範囲】
【請求項１】
引出し式スプレーヤヘッドを有する、一体型の混合された水道水および調整水の蛇口アセンブリであって、
蛇口本体と、
高温および低温の水道水混合バルブアセンブリと、
蛇口本体から上方に延びる、上方延部分、下方に延びる吐出部分、および、上方延部分と下方に延びる吐出部分との間にかかる中間部分を有する、吐水部と、
を備え、
吐水部の、下方に延びる吐出部分が、調整水ハウジングおよびスプレーヤヘッドが配置された下端部を有し、スプレーヤヘッドが、スプレーヤヘッドが後退位置にある場合に調整水ハウジングに着脱自在に保持されるハウジングを有し、調整水ハウジングおよびスプレーヤヘッドが、後退位置にある場合に、吐水部の、下方に延びる吐出部分から下方に延びており、
調整水ハウジングが、調整水ハウジングの下端部において調整水流出部を有し、
スプレーヤヘッドが、上端部に混合水道水流入部を有するとともに、スプレーヤヘッドの下端部にスプレーではない流出部およびスプレー流出部を有し、
スプレーヤヘッドが、スプレー位置とスプレーではない位置との間で、ユーザが作動可能であるスプレーヤヘッドの混合水道水バルブを有するスプレーヤ機構をさらに含み、スプレーヤヘッドの混合水道水バルブがスプレー位置にある場合、混合水道水バルブがスプレーヤヘッドの混合水道水流入部をスプレー流出部に流体的に結合し、それにより、混合された水道水が、スプレーヤヘッドの混合水道水バルブを通って流れ、次いで、スプレーヤヘッドを出てスプレー流出部を通り、また、混合水道水流入部とスプレーではない流出部とを流体的に結合解除するようになっており、スプレーヤヘッドの混合水道水バルブがそのスプレーではない位置にある場合、混合水道水バルブがスプレーヤヘッドの混合水道水流入部をスプレーではない流出部に流体的に結合し、それにより、混合された水道水が、スプレーヤヘッドの混合水道水バルブを通って流れ、次いで、スプレーではない流出部から流出し、また、スプレーヤヘッドの混合水道水流入部をスプレー流出部から流体的に結合解除するようになっており、
蛇口アセンブリが、
吐水部の内部を通って延び、高温および低温の水の混合バルブアセンブリを、スプレーヤヘッドの混合水道水流入部に流体的に結合するスプレーヤホースと、
少なくとも１つの電気的に作動される調整水バルブと、調整水ラインの流入部に流体的に結合可能である流出部とを有する、電気的に作動される調整水バルブアセンブリと、
をさらに備え、
調整水ラインが、吐水部の内部を通って延び、調整水ハウジングの調整水流出部に流体的に結合されている、一体型の混合された水道水および調整水の蛇口アセンブリ。
【請求項２】
調整水バルブの流出部が、調整水ラインの流入部に、温水ディスペンサの温水タンクを通して流体的に結合可能であり、調整水バルブの流出部が、温水タンクの水流入部に流体的に結合可能であり、調整水ラインの流入部が、温水タンクの温水流出部に流体的に結合可能であり、蛇口アセンブリが、吐水部の内部を通り、また、調整水ハウジングを通って調整水ハウジングのベント流出部へ延びるベントラインをさらに含み、ベントラインが、温水タンクのベント流出部に流体的に結合可能である、請求項１に記載の蛇口アセンブリ。
【請求項３】
高温および低温の水道水混合バルブアセンブリが、電気的に作動される高温および低温の水道水混合バルブを有する、電気的に作動される混合バルブアセンブリであり、蛇口アセンブリが、高温および低温の水道水の電気的に作動される混合バルブアセンブリおよび電気的に作動される調整水バルブに電気的に結合される、ユーザによって作動可能な電子的水制御アセンブリを含んでいる、請求項１に記載の蛇口アセンブリ。
【請求項４】
電気的に作動される高温および低温の水の混合バルブと、電気的に作動される調整水バルブとが、蛇口本体とは別のバルブボックスに配置されている、請求項３に記載の蛇口アセンブリ。
【請求項５】
電気的に作動される調整水バルブアセンブリが、複数の電気的に作動される調整水バルブを含み、電気的に作動される調整水バルブの１つが、バルブボックスに配置された、電気的に作動される温水バルブであり、電気的に作動される温水バルブが、調整水ラインの流入部に流体的に結合可能な流出部を有する、請求項４に記載の蛇口アセンブリ。
【請求項６】
電気的に作動される温水バルブの流出部が、調整水ラインの流入部に、温水ディスペンサの温水タンクを通して流体的に結合可能であり、電気的に作動される温水バルブの流出部が、温水タンクの水流入部に流体的に結合可能であり、調整水ラインの流入部が、温水タンクの温水流出部に流体的に結合可能であり、蛇口アセンブリが、吐水部の内部を通り、また、調整水ハウジングを通って調整水ハウジングのベント流出部へ延びるベントラインをさらに含み、ベントラインが、温水タンクのベント流出部に流体的に結合可能である、請求項５に記載の蛇口アセンブリ。
【請求項７】
高温および低温の水道水混合バルブアセンブリが、蛇口本体の混合バルブハウジングに配置された混合バルブカートリッジを有する、機械的に作動される高温および低温の水道水混合バルブアセンブリを含み、電気的に作動される調整水バルブが、蛇口本体とは別のバルブボックスに配置されており、蛇口アセンブリが、電気的に作動される調整水バルブに電気的に結合された、ユーザが作動可能である調整水タッチボタンアセンブリを含んでいる、請求項１に記載の蛇口アセンブリ。
【請求項８】
電気的に作動される調整水バルブアセンブリが、複数の電気的に作動される調整水バルブを含み、電気的に作動される調整水バルブの１つが、バルブボックスに配置された、電気的に作動される温水バルブであり、電気的に作動される温水バルブが、調整水ラインの流入部に流体的に結合可能な流出部を有する、請求項７に記載の蛇口アセンブリ。
【請求項９】
電気的に作動される温水バルブの流出部が、調整水ラインの流入部に、温水ディスペンサの温水タンクを通して流体的に結合可能であり、電気的に作動される温水バルブの流出部が、温水タンクの水流入部に流体的に結合可能であり、調整水ラインの流入部が、温水タンクの温水流出部に流体的に結合可能であり、蛇口アセンブリが、吐水部の内部を通り、また、調整水ハウジングを通って調整水ハウジングのベント流出部へ延びるベントラインをさらに含み、ベントラインが、温水タンクのベント流出部に流体的に結合可能である、請求項８に記載の蛇口アセンブリ。